(57)【要約】【課題】シリンダ錠の交換作業を容易に行うことのできるシリンダ錠の取付構造及びこれを用いた自動販売機を提供する。【解決手段】シリンダ錠６０が交換可能に取り付けられるシリンダ錠取付板６３に、ネジ６６及びドライバ等の工具の先端部を外側から挿入可能な挿入孔６３ｄと、挿入孔６３ｄから挿入されたネジ６６を螺合することにより、所定箇所にシリンダ錠取付板６３を締結可能な取付片６３ｂを設け、シリンダ錠６０に連結され、施錠された状態で挿入孔６３ｄを内側から閉鎖するとともに、開錠された状態で挿入孔６３ｄを開放可能な挿入孔開閉板６３ｅを備えたので、シリンダ錠６０を開錠して開放された挿入孔６３ｄからドライバ等の工具を挿入してネジ６６を外すことにより、コラムユニット４０を取り外すことなく、シリンダ錠取付板６３を取り外すことができ、シリンダ錠６０の交換作業を容易に行うことが可能となる。【選択図】図６
2008031723.tif 000002
【特許請求の範囲】
【請求項１】
所定箇所に取り付けられるシリンダ錠の取付構造であって、
所定箇所にネジ止めによって着脱自在に取り付けられ、シリンダ錠が交換可能に取り付けられるシリンダ錠取付板を備え、
前記シリンダ錠取付板に、ネジ及びネジ締結用の工具の先端部を外側から挿入可能な挿入孔と、挿入孔から挿入されたネジが螺合することにより、所定箇所にシリンダ錠取付板を締結可能な取付片とを設け、
シリンダ錠が施錠された状態で挿入孔を内側から閉鎖するとともに、シリンダ錠が開錠されると挿入孔を開放する位置に移動する挿入孔開閉板を備えた
ことを特徴とするシリンダ錠の取付構造。
【請求項２】
開口部を有する自動販売機本体と、開口部から出し入れ自在に設けられ、販売する商品を収納するとともに、選択された商品を一つずつ搬出可能な商品収納コラムと、自動販売機本体に設けられたシリンダ錠と、シリンダ錠の施錠及び開錠の操作と連動するように設けられ、商品収納コラムを開口部から引き出す方向への移動を規制するためのロック機構とを備えた自動販売機であって、
前記自動販売機本体のシリンダ錠が取り付けられる箇所にネジ止めによって着脱自在に取り付けられ、シリンダ錠が交換可能に取り付けられるシリンダ錠取付板を備え、
シリンダ錠取付板に、ネジ及びネジ締結用の工具の先端部を外側から挿入可能な挿入孔と、挿入孔から挿入されたネジが螺合することにより、所定箇所にシリンダ錠取付板を締結可能な取付片とを設け、
シリンダ錠が施錠された状態で挿入孔を内側から閉鎖するとともに、シリンダ錠が開錠されると挿入孔を開放する位置に移動する挿入孔開閉板を備えた
ことを特徴とする自動販売機。
【発明の詳細な説明】
【技術分野】
【０００１】
本発明は、所定箇所に設けられたシリンダ錠の取付構造及びこれを用いた自動販売機に関するものである。
【背景技術】
【０００２】
従来、この種のシリンダ錠の取付構造を示すものとして、キャビネット本体と、キャビネット本体に対して出し入れ自在に設けられた複数の引き出しと、キャビネット本体に設けられたシリンダ錠と、シリンダ錠と連動するように設けられ、シリンダ錠を開錠した状態で全ての引き出しの移動を可能とし、シリンダ錠を施錠した状態で全ての引き出しの移動を規制可能なロック機構とを備えたキャビネットが知られている（例えば、特許文献１参照）。
【０００３】
また、従来、前面に開口部を有する自動販売機本体と、自動販売機本体内を視認可能に設けられ、開口部を開閉するための外扉と、自動販売機本体内の前後方向に複数の商品が並べて収納された商品収納コラムを幅方向に複数列有し、それぞれ自動販売機本体に対して開口部から出し入れ自在に設けられた上下複数のコラムユニットとを備えた自動販売機が知られている（例えば、特許文献２参照）。
【０００４】
前記自動販売機では、利用者が金銭を投入して選択ボタンを操作した後に外扉を開放し、利用者が選択した商品を収納した商品収納コラムの前端に位置する商品のみが取り出し可能に搬出される構造となっており、利用者は金銭を投入して選択ボタンを操作した後、外扉を開放して搬出された商品を取り出すようになっている。このため、商品を販売する時には、商品の盗難防止のために各コラムユニットの移動を規制する必要がある。そこで、前記自動販売機には、キャビネットに用いられるものと同様のシリンダ錠とロック機構が設けられている。
【特許文献１】実開平５−５２１５１号公報
【特許文献２】特開平９−２７００６２号公報
【発明の開示】
【発明が解決しようとする課題】
【０００５】
従来のシリンダ錠の取付構造では、シリンダ錠を外側から外すことができないように、シリンダ錠がキャビネット本体または自動販売機本体の内側からナット等によって取り付けられている。このため、シリンダ錠を交換する必要が生じた場合には、引き出しまたはコラムユニットを取り外した上で、キャビネット本体または自動販売機本体の内側からシリンダ錠の交換作業を行わなければならず、シリンダ錠の交換作業の作業工数が多くなる。
【０００６】
本発明の目的とするところは、シリンダ錠の交換作業を容易に行うことのできるシリンダ錠の取付構造及びこれを用いた自動販売機を提供することにある。
【課題を解決するための手段】
【０００７】
本発明は前記目的を達成するために、所定箇所に取り付けられるシリンダ錠の取付構造であって、所定箇所にネジ止めによって着脱自在に取り付けられ、シリンダ錠が交換可能に取り付けられるシリンダ錠取付板を備え、前記シリンダ錠取付板に、ネジ及びネジ締結用の工具の先端部を外側から挿入可能な挿入孔と、挿入孔から挿入されたネジが螺合することにより、所定箇所にシリンダ錠取付板を締結可能な取付片とを設け、シリンダ錠が施錠された状態で挿入孔を内側から閉鎖するとともに、シリンダ錠が開錠されると挿入孔を開放する位置に移動する挿入孔開閉板を備えている。
【０００８】
また、前記目的を達成するために、開口部を有する自動販売機本体と、開口部から出し入れ自在に設けられ、販売する商品を収納するとともに、選択された商品を一つずつ搬出可能な商品収納コラムと、自動販売機本体に設けられたシリンダ錠と、シリンダ錠の施錠及び開錠の操作と連動するように設けられ、商品収納コラムを開口部から引き出す方向への移動を規制するためのロック機構とを備えた自動販売機であって、前記自動販売機本体のシリンダ錠が取り付けられる箇所にネジ止めによって着脱自在に取り付けられ、シリンダ錠が交換可能に取り付けられるシリンダ錠取付板を備え、シリンダ錠取付板に、ネジ及びネジ締結用の工具の先端部を外側から挿入可能な挿入孔と、挿入孔から挿入されたネジが螺合することにより、所定箇所にシリンダ錠取付板を締結可能な取付片とを設け、シリンダ錠が施錠された状態で挿入孔を内側から閉鎖するとともに、シリンダ錠が開錠されると挿入孔を開放する位置に移動する挿入孔開閉板を備えている。
【０００９】
これにより、シリンダ錠を開錠することにより挿入孔が開放されることから、挿入孔から工具を挿入して取付片に螺合するネジを取り外すことにより、シリンダ錠取付板が所定箇所から取り外される。
【発明の効果】
【００１０】
本発明によれば、シリンダ錠を開錠して開放された挿入孔からドライバ等の工具を挿入してネジを外すことにより、シリンダ錠取付板を取り外すことができるので、シリンダ錠取付板に隣接する部材を取り外す必要はなく、シリンダ錠の交換作業を容易に行うことが可能となる。
【発明を実施するための最良の形態】
【００１１】
図１乃至図８は本発明の一実施形態を示すもので、図１は本発明のシリンダ錠の取付構造を備えた自動販売機の正面図、図２は自動販売機の側面図、図３は外扉を開放した状態を示す自動販売機の正面図、図４は商品収納庫の要部斜視図、図５はシリンダ錠取付板を取り外した状態を示す商品収納庫の要部斜視図、図６はシリンダ錠及びシリンダ錠取付板の平面断面図、図７は施錠した状態のシリンダ錠及びシリンダ錠取付板の正面図、図８は開錠した状態のシリンダ錠及びシリンダ錠取付板の正面図である。
【００１２】
この自動販売機は、前面に開口部を有する自動販売機本体１０と、自動販売機本体１０の開口部の幅方向一端側を開閉する外扉２０と、自動販売機本体１０の幅方向他端側を開閉する操作扉３０とを備えている。
【００１３】
自動販売機本体１０は、上面側、背面側、底面側及び左右両側面側が断熱壁１１によって形成され、販売用の商品を収納するための商品収納庫１２と、商品収納庫１２と隣り合うように設けられ、硬貨識別装置や紙幣識別装置などの販売に関する機器を収納するための機器収納庫と、商品収納庫１２と機器収納庫の下方に設けられ、図示しない圧縮機、凝縮器等の冷凍機器を収納するための機械室１３とを有している。
【００１４】
商品収納庫１２には、商品を収納するとともに、選択された商品を利用者が取り出し可能に搬出するための上下複数のコラムユニット４０と、各コラムユニット４０の前方への移動を規制するためのロック機構５０と、商品収納庫１２内の空気を冷却するための冷却器１２ａと、商品収納庫１２内の空気を循環させるための冷却器用送風機１２ｂとが設けられている。
【００１５】
各コラムユニット４０は、複数の商品を前後に並べて収納可能な商品収納コラム４１が幅方向に複数設けられている。各商品収納コラム４１の前端側には、前端側に位置する商品を利用者が取り出し可能とするための商品搬出機構４１ａが設けられている。また、各コラムユニット４０の幅方向両側面側には、前後に延びるレール４２が設けられ、各レール４２を商品収納庫１２内の左右両側面側に設けられた受けレール１２ｃに係合させることにより、各コラムユニット４０が商品収納庫１２に対して前後に出し入れ自在に支持されている。
【００１６】
ロック機構５０は、商品収納庫１２内の幅方向一方の側面側に上下方向に移動自在に支持され、上下に延びるように形成されたロック板５１と、各コラムユニット４０の一方の側面の外側に設けられた突起部５２と、ロック板５１に設けられ、ロック板５１を施錠位置に移動させることにより各突起部５２の前方にそれぞれ位置するように設けられたストッパ５３とを有している。ロック機構５０は、ロック板５１を上方に移動させて各ストッパ５３を各突起部５２の前方に移動させることにより、各コラムユニット４０の前方への移動を規制することが可能となっている。
【００１７】
また、ロック板５１の下端側には、最下段のコラムユニット４０の下方に設けられたシリンダ錠６０の施錠及び開錠の動作とロック板５１とを連動させるための連動機構５４が連結されている。
【００１８】
シリンダ錠６０は、外筒６１及び内筒６２からなり、外筒６１が商品収納庫１２の幅方向の延びるシリンダ錠取付板６３にナット６４によって取り付けられ、鍵を鍵穴に挿入することにより外筒６１に対して内筒６２を回転させることが可能となっている。また、内筒６２の後端側には、連動機構５４を介してロック板５１を上下に移動させるための操作部材６５が連結されている。
【００１９】
シリンダ錠取付板６３は、幅方向一端側に商品収納庫１２の幅方向一端側の係合孔１２ｄと係合可能な係合部６３ａが設けられ、幅方向他端側に商品収納庫１２内にシリンダ錠取付板６３を取り付けるためのネジ６６を螺合可能な取付片６３ｂが設けられている。取付片６３ｂは、シリンダ錠取付板６３の幅方向他端から後方に延びるとともに幅方向内側に屈曲され、先端部にネジ孔６３ｃが設けられている。また、シリンダ錠取付板６３のネジ孔６３ｃの前方の位置する部分には、ネジ６６及びドライバ等のネジ締結用工具の先端部を挿入可能な挿入孔６３ｄが設けられている。挿入孔６３ｄは、シリンダ錠取付板６３の背面側から挿入孔開閉板６３ｅによって開閉可能に設けられている。挿入孔開閉板６３ｅは、一端側がシリンダ錠６０の内筒６２の後端側に連結された板状部材からなり、シリンダ錠６０を施錠した状態では他端側が挿入孔６３ｄを閉鎖し、鍵穴に鍵を挿入して内筒を回転させた状態では挿入孔６３ｄを開放するようになっている。
【００２０】
外扉２０は、外周部に位置する枠部材２１と、枠部材２１に取り付けられたガラスや樹脂等の透明板２２とからなり、自動販売機本体１０の幅方向一端側に回転自在に支持されている。また、外扉２０には、利用者が商品を取り出すために商品収納庫１２の前面を開閉するための把手２３が設けられている。
【００２１】
操作扉３０は、自動販売機本体１０の幅方向他端側に回転自在に支持され、機器収納庫の前面を開閉するようになっている。また、操作扉３０の前面には、商品選択ボタン、硬貨投入口、紙幣投入口、金額表示部等が設けられている。
【００２２】
以上のように構成された自動販売機において、通常の商品販売時には、シリンダ錠６０を施錠した状態とする。このとき、ロック板５１は、連動機構５４を介して操作部材６５によって上方に上げられており、ロック板５１に設けられた各ストッパ５３は各コラムユニット４０の各突起部５２の前方に位置している。これにより、各コラムユニット４０の前方への移動が規制され、コラムユニット４０を前方に引き出して商品を抜き取るという不正行為が防止される。また、シリンダ錠取付板６３の挿入孔６３ｄは、挿入孔開閉板６３ｅによって背面側から閉鎖されているため、ネジ６６が外されることはなく、シリンダ錠取付板６３を商品収納庫１２から取り外してロック機構５０による各コラムユニット４０の前方への移動の規制を解除し、コラムユニット４０を前方に引き出して商品を抜き取るという不正行為が防止される。
【００２３】
また、各コラムユニット４０の各商品収納コラム４１に商品を補充する場合には、シリンダ錠６０を開錠した状態とする。このとき、ロック板５１は、下方に下げられており、ロック板５１に設けられた各ストッパ５３は各コラムユニット４０の各突起部５２の下方に位置している。これにより、各コラムユニット４０は、前方に引き出すことが可能となり、商品を補充する作業者は、各コラムユニット４０を引き出して各商品収納コラム４１に商品を補充することが可能となる。
【００２４】
また、シリンダ錠６０を交換する場合には、シリンダ錠６０を解錠した状態とする。このとき、挿入孔開閉板６３ｅはシリンダ錠６０の内筒６２とともに回転しているため、挿入孔６３ｄが開放されている。この状態でドライバ等の工具を挿入孔６３ｄから挿入してネジ６６を外すことにより、シリンダ錠取付板６３を取り外し、シリンダ錠６０を交換する。シリンダ錠６０を交換した後、シリンダ錠取付板６３の係合部６３ａを係合孔１２ｄに係合させるとともに、挿入孔６３ｄを介して取付片６３ｂにネジ６６を螺合させることにより、商品収納庫１２にシリンダ錠取付板６３が取り付けられる。
【００２５】
このように、本実施形態の自動販売機によれば、シリンダ錠６０が交換可能に取り付けられるシリンダ錠取付板６３に、ネジ６６及びドライバ等の工具の先端部を外側から挿入可能な挿入孔６３ｄと、挿入孔６３ｄから挿入されたネジ６６を螺合することにより、所定箇所にシリンダ錠取付板６３を締結可能な取付片６３ｂを設け、シリンダ錠６０に連結され、施錠された状態で挿入孔６３ｄを内側から閉鎖するとともに、開錠された状態で挿入孔６３ｄを開放可能な挿入孔開閉板６３ｅを備えたので、シリンダ錠６０を開錠して開放された挿入孔６３ｄからドライバ等の工具を挿入してネジ６６を外すことにより、コラムユニット４０を取り外すことなく、シリンダ錠取付板６３を取り外すことができ、シリンダ錠６０の交換作業を容易に行うことが可能となる。
【００２６】
尚、前記実施形態では、本発明のシリンダ錠の取付構造を自動販売機本体１０に対してコラムユニット４０の移動を規制するために設けられたシリンダ錠６０の取付構造を示したが、引き出しの移動を規制可能なキャビネットのシリンダ錠取付箇所に本発明のシリンダ錠の取付構造を用いてもよい。また、本発明のシリンダ錠の取付構造を自動販売機等の機器の扉に用いることにより、扉の内側面に機器が配置されている場合に、機器を取り外すことなくシリンダ錠の交換が可能となるという利点がある。
【図面の簡単な説明】
【００２７】
【図１】本発明の一実施形態を示す自動販売機の正面図
【図２】自動販売機の側面図
【図３】外扉を開放した状態を示す自動販売機の正面図
【図４】商品収納庫の要部斜視図
【図５】シリンダ錠取付板を取り外した状態を示す商品収納庫の要部斜視図
【図６】シリンダ錠及びシリンダ錠取付板の平面断面図
【図７】施錠した状態のシリンダ錠及びシリンダ錠取付板の正面図
【図８】開錠した状態のシリンダ錠及びシリンダ錠取付板の正面図
【符号の説明】
【００２８】
１０…自動販売機本体、４０…コラムユニット、５０…ロック機構、６０…シリンダ錠、６３…シリンダ錠取付板、６３ｂ…取付片、６３ｃ…ネジ孔、６３ｄ…挿入孔、６３ｅ…挿入孔開平板、６６…ネジ。
【図１】
2008031723.tif 000003
【図２】
2008031723.tif 000004
【図３】
2008031723.tif 000005
【図４】
2008031723.tif 000006
【図５】
2008031723.tif 000007
【図６】
2008031723.tif 000008
【図７】
2008031723.tif 000009
【図８】
2008031723.tif 000010